(57)【要約】【課題】コンテンツを順次表示させる際に、次に表示されるコンテンツを予測して、任意のコンテンツを容易に表示可能とする。【解決手段】情報処理装置１０において、制御部２１は、コンテンツを記憶部１３から読み出して表示部１２の画面に表示させ、操作判定部（加速度センサー１６、角速度センサー１７、変位検出部２２、指示判定部２３）によりサンプル像の表示の入力指示が判定されると、表示部１２の画面に表示されているコンテンツに続く表示順序の規定数のコンテンツに対応するそれぞれのサンプル像を記憶部１３から読み出して、表示部１２の画面の一部に表示させる。【選択図】図２
2019164548.tif 000002
【特許請求の範囲】
【請求項１】
表示部と、
前記表示部の画面に予め設定された表示順序で表示される複数のコンテンツ及び該各コンテンツに対応する該各コンテンツよりも小さなサイズのそれぞれのサンプル像を保有するコンテンツ保有部と、
ユーザーが当該情報処理装置を操作したときに該操作に対応する入力指示の内容を判定する操作判定部と、
前記コンテンツを前記コンテンツ保有部から取得して前記表示部の画面に表示させ、前記操作判定部により前記入力指示の内容がサンプル像を表示させる入力指示と判定されると、前記表示部の画面に表示されているコンテンツに続く表示順序となる規定数のコンテンツに対応するそれぞれのサンプル像を前記コンテンツ保有部から取得して前記表示部の画面の一部に表示させる制御部と、を備える情報処理装置。
【請求項２】
前記制御部は、前記操作判定部により前記入力指示の内容がサンプル像を切り替え表示させる入力指示と判定されると、前記表示部の画面に表示させている該規定数のサンプル像のうちの最初の表示順序のサンプル像の表示を消去すると共に、該規定数のサンプル像に続く次の表示順序のサンプル像を前記コンテンツ保有部から取得して、前記表示部の画面に表示させる請求項１に記載の情報処理装置。
【請求項３】
前記制御部は、前記表示部の画面における前記規定数のサンプル像のうちの最初の表示順序のサンプル像の表示を消去したとき、当該最初の表示順序のサンプル像に対応するコンテンツを、前記表示部の画面における前記一部以外の領域に表示させる請求項２に記載の情報処理装置。
【請求項４】
前記制御部は、前記表示部の画面に表示されているコンテンツに重ねて、前記一部の領域を表示させる請求項３に記載の情報処理装置。
【請求項５】
前記制御部は、前記表示部の画面に表示されているコンテンツの表示を移動させて、当該移動により生じさせた空きスペースに前記一部の領域を表示させる請求項３に記載の情報処理装置。
【請求項６】
前記制御部は、前記表示部の画面に表示されているコンテンツを縮小して、その全体を、前記表示部の画面における前記一部以外の領域に表示させる請求項３に記載の情報処理装置。
【請求項７】
前記サンプル像は、該サンプル像に対応するコンテンツの縮小画像、該サンプル像に対応するコンテンツから切り出された該コンテンツの一部、又は該サンプル像が示すコンテンツの見出し情報である請求項１乃至請求項６のいずれか１つに記載の情報処理装置。
【請求項８】
前記操作判定部は、
ユーザーが前記情報処理装置を変位させる操作を行ったときに該情報処理装置の変位を検出するセンサーと、
前記センサーの検出出力に基づき前記情報処理装置の変位方向を検出する変位検出部と、
前記変位検出部により判定された変位方向に対応する入力指示を判定する操作判定部と、を備える請求項１乃至請求項７のいずれか１つに記載の情報処理装置。
【発明の詳細な説明】
【技術分野】
【０００１】
本発明は、表示部を備える携帯可能な情報処理装置に関し、特に、表示部の表示を切り替えるための技術に関する。
【背景技術】
【０００２】
コンテンツを表示する表示システムとしては、携帯電話端末内の傾き検知センサーを利用して、傾きに従って電子ペーパーの表示部の表示内容を切り替えるものがある（下記特許文献１参照）。この表示システムでは、例えば、傾き検知センサーにより検出された傾き角度が一定値以上になったときに、その傾きの方向が右ならば次ページを表示し、また左ならば前ページを表示し、あるいは傾き方向が前ならば指定ページ数先を表示し、また後ろならば指定ページ数前を表示する。
【先行技術文献】
【特許文献】
【０００３】
【特許文献１】特開２００５−１６５７６０号公報
【発明の概要】
【発明が解決しようとする課題】
【０００４】
しかしながら、上記特許文献１に記載の表示システムでは、傾きの方向に応じたページの切替え表示に際し、次に表示されるページを全く予測することができないので、任意のページを探し出して表示させることが容易ではない。
【０００５】
本発明は、上記の事情に鑑みなされたものであり、コンテンツを順次表示させる際に、次に表示されるコンテンツを予測して、任意のコンテンツを容易に表示可能とすることを目的とする。
【課題を解決するための手段】
【０００６】
本発明の一局面に係る情報処理装置は、表示部と、前記表示部の画面に予め設定された表示順序で表示される複数のコンテンツ及び該各コンテンツに対応する該各コンテンツよりも小さなサイズのそれぞれのサンプル像を保有するコンテンツ保有部と、ユーザーが当該情報処理装置を操作したときに該操作に対応する入力指示の内容を判定する操作判定部と、前記コンテンツを前記コンテンツ保有部から取得して前記表示部の画面に表示させ、前記操作判定部により前記入力指示の内容がサンプル像を表示させる入力指示と判定されると、前記表示部の画面に表示されているコンテンツに続く表示順序となる規定数のコンテンツに対応するそれぞれのサンプル像を前記コンテンツ保有部から取得して前記表示部の画面の一部に表示させる制御部と、を備えるものである。
【発明の効果】
【０００７】
本発明によれば、コンテンツを順次表示させる際に、次に表示されるコンテンツを予測して、任意のコンテンツを容易に表示させることが可能になる。
【図面の簡単な説明】
【０００８】
【図１】本発明の一実施形態にかかる情報処理装置の外観を示す平面図である。
【図２】本実施形態にかかる情報処理装置の内部構成を示すブロック図である。
【図３】情報処理装置の表示部の画面の上下方向を示す斜視図である。
【図４】情報処理装置の表示部の画面の傾斜方向及び傾斜角度を示す斜視図である。
【図５】表示部に表示されるコンテンツ及びサンプル像の対応関係を示す図である。
【図６】表示部に表示されるコンテンツ及び規定数のサンプル像を切替えるための処理手順を示すフローチャートである。
【図７】（Ａ）〜（Ｇ）は、コンテンツ及び規定数のサンプル像が切替え表示される表示部の画面を示す遷移図である。
【図８】（Ａ）、（Ｂ）は、表示部の画面におけるコンテンツ及び規定数のサンプル像の他の表示形態を示す図である。
【図９】表示部の画面に表示される他の種類のサンプル像を示す図である。
【図１０】表示部の画面に表示される別の種類のサンプル像を示す図である。
【発明を実施するための形態】
【０００９】
以下、本発明の実施形態について図面を参照して説明する。
【００１０】
図１は、本発明の一実施形態にかかる情報処理装置の外観を示す斜視図である。また、図２は、本実施形態にかかる情報処理装置の内部構成を示すブロック図である。
【００１１】
本実施形態の情報処理装置１０は、例えば社員証などのＩＤカードであって、制御ユニット１１と、表示部１２と、記憶部１３と、ネットワーク通信部１４と、加速度センサー１６と、角速度センサー１７とを備えている。これらの構成要素は、互いにバスを通じてデータ又は信号の送受信が可能とされている。
【００１２】
表示部１２は、液晶ディスプレイ（ＬＣＤ：Liquid Crystal Display）や有機ＥＬ（ＯＬＥＤ：Organic Light-Emitting Diode）、電子ペーパーなどから構成される。
【００１３】
記憶部１３は、大容量の書き換え可能な不揮発性メモリー（ＥＥＰＲＯＭなど）等であって、表示部１２に表示される複数のコンテンツ及び該各コンテンツよりも小さなサイズのそれぞれのサンプル像などを記憶している。この場合、記憶部１３が特許請求の範囲におけるコンテンツ保有部の一例となる。
【００１４】
なお、サンプル像は、制御部２１が備える画像処理機能により上記各コンテンツを示す画像を用いて生成されるものとし、制御部２１は、当該生成したサンプル像を用いて表示部１２に表示させるものとしてもよい。なお、以下では、制御部２１が、記憶部１３に記憶されているサンプル像を表示部１２に表示させる場合を例にして説明する。この場合は、記憶部１３及び制御部２１が特許請求の範囲におけるコンテンツ保有部の一例となる。
【００１５】
ネットワーク通信部１４は、不図示のＬＡＮチップなどの通信モジュールを備える通信インターフェイスである。このネットワーク通信部１４は、公衆回線網等のネットワークを介してサーバーなどに接続され、サーバーなどとの間でデータ通信を行う。例えば、サーバーから送信されたコンテンツ及びサンプル像がネットワーク通信部１４で受信されて記憶部１３に記憶される。
【００１６】
加速度センサー１６は、既知の３軸の加速度センサーであり、情報処理装置１０の表示部１２の画面におけるＸ軸、Ｙ軸、Ｚ軸の３方向の加速度を検出して、３方向の加速度を示すそれぞれの検出信号ＸＳ、ＹＳ、ＺＳを出力する。加速度センサー１６が情報処理装置１０に内蔵されているので、この加速度センサー１６により情報処理装置１０に作用した３方向の加速度が検出されることとなる。
【００１７】
角速度センサー１７は、既知の角速度センサーであり、情報処理装置１０の回転角度を検出する。ここでは、２つの角速度センサー１７が設けられている。一方の角速度センサー１７は、表示部１２の画面のＹ軸周りの回転を検出し、その回転角度を示す検出信号ＨＳを出力する。他方の角速度センサー１７は、表示部１２の画面のＸ軸周りの回転を検出し、その回転角度を示す検出信号ＶＳを出力する。
【００１８】
制御ユニット１１は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。制御ユニット１１は、上記のＲＯＭ又は記憶部１３に記憶された制御プログラムが上記プロセッサーで実行されることにより、制御部２１、変位検出部２２、指示判定部２３、及び通信制御部２４として機能する。なお、制御ユニット１１の上記の各構成要素は、前述の制御プログラムに基づく動作によらず、それぞれハード回路により構成されてもよい。
【００１９】
制御部２１は、全体的な動作制御を行うが、主に表示部１２の表示制御を行う。通信制御部２４は、ネットワーク通信部１４の通信動作を制御する。
【００２０】
変位検出部２２は、加速度センサー１６の各検出信号ＸＳ、ＹＳ、ＺＳ及び２つの角速度センサー１７の検出信号ＨＳ、ＶＳを入力して、これらの検出信号に基づき、情報処理装置１０の変位方向などを検出する。
【００２１】
例えば、変位検出部２２は、加速度センサー１６の検出信号ＹＳが予め設定された閾値Ｓを超えるか又は該検出信号ＹＳが閾値−Ｓを下回ると、図３に示すように上方向又は下方向の情報処理装置１０の変位を検出する。
【００２２】
また、変位検出部２２は、加速度センサー１６の各検出信号ＸＳ、ＹＳ、ＺＳに基づき重力の加速度を検出して、図４に示すように重力の加速度の方向（鉛直方向）Ｖを求め、この鉛直方向Ｖに対する表示部１２の画面のＸ軸の方向を規定方向Ｑとして検出する。そして、ユーザーが、図４に示すように表示部１２の画面を該画面のＹ軸周りに傾斜させた場合、変位検出部２２は、角速度センサー１７の検出信号ＨＳに基づき、図４に示すように規定方向Ｑに対する表示部１２の画面のＹ軸周りの傾斜方向Ｋ及び傾斜角度αを検出する。また、変位検出部２２は、Ｙ軸の順方向周り及び逆方向周りのいずれについても傾斜方向Ｋ及び傾斜角度αを検出する。
【００２３】
尚、加速度センサー１６の各検出信号ＸＳ、ＹＳ、ＺＳに基づき、表示部１２の画面の傾斜方向Ｋ及び傾斜角度αを検出することも可能である。また、加速度センサー１６の代わりに、振り子式やフロート式の傾斜センサーを用いて、表示部１２の画面の傾斜方向を検出してもよい。
【００２４】
指示判定部２３は、変位検出部２２により検出された情報処理装置１０の上方向の変位、下方向の変位、及び表示部１２の画面のＹ軸周りの傾斜方向Ｋ及び傾斜角度αに基づき、表示部１２の画面上におけるコンテンツやサンプル像の表示に係る入力指示を判定する。なお、加速度センサー１６、角速度センサー１７、変位検出部２２、及び指示判定部２３が特許請求の範囲における操作判定部の一例となる。
【００２５】
制御部２１は、指示判定部２３により判定された入力指示に基づき、表示部１２の画面におけるコンテンツやサンプル像の表示を制御する。
【００２６】
次に、情報処理装置１０の上方向の変位、下方向の変位、及び表示部１２の画面のＹ軸周りの傾斜方向Ｋ及び傾斜角度αに基づく、表示部１２の画面上のコンテンツやサンプル像の表示制御を詳しく説明する。
【００２７】
図５は、記憶部１３に記憶されている複数のコンテンツＣ１〜Ｃ４及び該各コンテンツＣ１〜Ｃ４に対応するそれぞれのサンプル像Ｓａ１〜Ｓａ４を例示している。各サンプル像Ｓａ１〜Ｓａ４は、各コンテンツＣ１〜Ｃ４の縮小画像（サムネイル）である。各コンテンツＣ１〜Ｃ４及び各サンプル像Ｓａ１〜Ｓａ４に対しては、表示部１２に表示される表示順序が予め設定されている。また、各コンテンツＣ１〜Ｃ４及び各サンプル像Ｓａ１〜Ｓａ４の表示順序は、サイクリックに設定されており、最後の表示順序から最初の表示順序へと移行したり、最初の表示順序から最後の表示順序へと移行したりすることが可能である。
【００２８】
図６は、表示部１２の画面上のコンテンツやサンプル像の表示制御の処理手順を示すフローチャートである。
【００２９】
まず、図７（Ａ）に示すようにコンテンツＣ１が表示部１２の画面に表示されているものとすると（Ｓ１０１）、変位検出部２２は、情報処理装置１０の上方向の変位の検出を待機している（Ｓ１０２「Ｎｏ」）。このとき、ユーザーが情報処理装置１０を上方向に振る操作を行うと、変位検出部２２が情報処理装置１０の上方向の変位を検出する（Ｓ１０２「Ｙｅｓ」）。そして、指示判定部２３は、変位検出部２２により上方向の変位が検出されると、上方向の変位に基づき、ユーザーによる入力指示の内容が、サンプル像を表示させる指示であると判定する（Ｓ１０３）。
【００３０】
制御部２１は、サンプル像の表示の入力指示が判定されると、この入力指示に応じて図７（Ｂ）に示すように表示部１２の画面上でコンテンツＣ１を縮小した画像を作成して当該画面における上側の位置に配置し、当該縮小したコンテンツＣ１を表示しない領域Ａ、ここでは当該画面における縮小したコンテンツＣ１の下側部分となる領域Ａに、該コンテンツＣ１に続く表示順序の規定数のコンテンツＣ２、Ｃ３、Ｃ４に対応する各サンプル像Ｓａ２、Ｓａ３、Ｓａ４を記憶部１３から読み出して上記領域Ａに表示させる（Ｓ１０４）。
【００３１】
また、変位検出部２２は、情報処理装置１０の上方向の変位を検出した直後に、鉛直方向Ｖに対する表示部１２の画面のＸ軸の方向を規定方向Ｑとして検出する（Ｓ１０５）。
【００３２】
このようにコンテンツＣ１及び各サンプル像Ｓａ２、Ｓａ３、Ｓａ４が表示部１２の画面に表示され、表示部１２の画面のＸ軸の方向が規定方向Ｑとして検出されると、変位検出部２２は、角速度センサー１７の検出信号ＨＳに基づき、規定方向Ｑに対する表示部１２の画面のＹ軸の順方向周り又は逆方向周りの傾斜方向Ｋ及び傾斜角度αを検出する。そして、指示判定部２３は、変位検出部２２により情報処理装置１０の下方向の変位が検出されるか（Ｓ１０６）、あるいは変位検出部２２により検出された表示部１２の画面のＹ軸の順方向周り又は逆方向周りの傾斜角度αが予め設定された規定値（例えば１０度）を超えるのを待機する（Ｓ１０７）。
【００３３】
このとき、例えばユーザーが情報処理装置１０を表示部１２の画面のＹ軸の順方向周りに傾斜させる操作を行い、表示部１２の画面のＹ軸の周りの傾斜角度αが規定値を超えると（Ｓ１０６「Ｎｏ」，Ｓ１０７「Ｙｅｓ」）、指示判定部２３は、傾斜角度αが規定値を超えたことに基づいて、ユーザーによる入力指示の内容が、コンテンツ及びサンプル像を切り替えて表示する指示であると判定する（Ｓ１０８）。
【００３４】
制御部２１は、このようにコンテンツ及びサンプル像の切り替え表示の入力指示が判定されると、この入力指示に応じて表示部１２の画面に表示されている各サンプル像Ｓａ２、Ｓａ３、Ｓａ４を該画面の傾斜方向Ｋの高い側から低い側に移動するように表示させ、図７（Ｂ）、（Ｃ）に示すように該画面の傾斜方向Ｋの高い側から低い側に移動して表示されるサンプル画像Ｓａ２の表示を消去すると共に、次の表示順序のサンプル像Ｓａ１を記憶部１３から読み出して、このサンプル像Ｓａ１をその検出された傾斜方向Ｋの最も高い側の位置に表示させ、これに続いて高い側からサンプル像Ｓａ４，Ｓａ３を表示させる。また、制御部２１は、表示部１２の画面の傾斜方向Ｋの最も低い側のサンプル像Ｓａ２の表示を該画面から消去させたとき、該サンプル画像像Ｓａ２に対応するコンテンツＣ２を表示部１２の画面であって上記領域Ａ以外の領域に表示させる（Ｓ１０９）。そして、Ｓ１０６からの処理に戻る。
【００３５】
この後、ユーザーが情報処理装置１０を表示部１２の画面のＹ軸周りに傾斜させたままであって、変位検出部２２により検出された傾斜角度α及び傾斜方向Ｋが維持されていれば（Ｓ１０６「Ｎｏ」，Ｓ１０７「Ｙｅｓ」）、指示判定部２３によるサンプル像の切り替え表示の入力指示が変わらないので（Ｓ１０８）、制御部２１は、例えば図７（Ｄ）、（Ｅ）に示すように、表示部１２の画面における傾斜方向Ｋの最も低い側のサンプル像Ｓａ４の表示を消去すると共に、次の表示順序のサンプル像Ｓａ３を記憶部１３から読み出して、このサンプル像Ｓａ３をその検出された傾斜方向Ｋの最も高い側の位置に表示させ、これに続いて高い側からサンプル像Ｓａ２，Ｓａ１を表示させる。また、制御部２１は、表示部１２の画面の傾斜方向Ｋの最も低い側のサンプル像Ｓａ４の表示を該画面から消去させたとき、該サンプル画像像Ｓａ４に対応するコンテンツＣ４を表示部１２の画面であって上記領域Ａ以外の領域に表示させる（Ｓ１０９）。そして、Ｓ１０６からの処理に戻る。
【００３６】
これにより、図７（Ｄ）、（Ｅ）に示すように表示部１２の画面に表示される規定数のサンプル像がそれらの表示順序で逐次更新されて表示されると共に、該画面に表示されるコンテンツも更新して表示される。
【００３７】
同様に、表示部１２の画面が縦のＹ軸の逆方向周りに傾斜された場合は、制御部２１は、図７（Ｆ）、（Ｇ）に示すようにサンプル像を表示部１２の画面の内側から外側へと逆向きに（傾斜方向Ｋの低い側に）移動させて消去すると共に、サンプル像を記憶部１３から逆の順序で読み出して、この読み出したサンプル像を該画面の高い側から低い側へと逆向きに移動させて表示し、該画面の傾斜方向Ｋの最も低い側のサンプル像を該画面から消去すると同時に該サンプル画像に対応するコンテンツを表示部１２の画面に表示させる。
【００３８】
このように表示部１２の画面に表示される規定数のサンプル画像がコンテンツの表示順序で逐次更新されるので、該画面に表示されているコンテンツに引き続いて順序表示されるコンテンツを容易に予測することができる。
【００３９】
また、ユーザーが情報処理装置１０の表示部１２の画面を略水平に戻すと、指示判定部２３は、変位検出部２２により検出された該画面の縦のＹ軸周りの傾斜角度αが規定値以下になるので（Ｓ１０７「Ｎｏ」）、ユーザーによる入力指示の内容が、サンプル像の切替表示を停止させる指示であると判定する（Ｓ１１０）。
【００４０】
制御部２１は、このようにサンプル像の切り替え表示の停止の入力指示が判定されると、この入力指示に応じて表示部１２の画面上での各サンプル画像を移動させて表示することを停止させると共に、この停止時点でのコンテンツの表示を維持する（Ｓ１１１）。そして、Ｓ１０６からの処理に戻る。
【００４１】
また、Ｓ１０６においては、ユーザーが情報処理装置１０を下方向に振り、指示判定部２３が、変位検出部２２が情報処理装置１０の下方向の変位を検出したと判断したとき（Ｓ１０６「Ｙｅｓ」）、指示判定部２３は、下方向の変位に基づき、ユーザーによる入力指示の内容が、コンテンツのみを表示させる指示であると判定する（Ｓ１１２）。
【００４２】
制御部２１は、このようにコンテンツのみを表示させる入力指示が判定されると、この入力指示に応じてＳ１０１の処理に戻り、この時点で表示部１２の画面に表示されている各サンプル像を非表示とし、コンテンツのみを表示部１２の画面全域に表示させた状態とする。
【００４３】
このように本実施形態では、情報処理装置１０を手に持って、情報処理装置１０を上下方向に振ったり、表示部１２の画面を略水平に維持したり傾斜させたりするだけで、様々なコンテンツ及びサンプル像を切替え表示させることができる。また、表示部１２の画面に表示される規定数のサンプル画像がコンテンツの表示順序で逐次更新されるので、該画面に表示されているコンテンツに続いて順序表示される次のコンテンツを容易に予測することができる。
【００４４】
なお、上記実施形態では、表示部１２の画面上でコンテンツを縮小し上側に移動させて、該画面の下側部分に空きスペースを設け、この空きスペースに規定数のサンプル像を表示しているが、この代わりに、図８（Ａ）に示すように表示部１２の画面においてコンテンツを表示させている領域に重ねて、規定数のサンプル像を表示する、又は、図８（Ｂ）に示すようにコンテンツを上側に移動させた表示とし、コンテンツの上側部分を非表示とすると共に、画面の下側部分に空きスペースを設け、この空きスペースに規定数のサンプル像を表示してもよい。また、画面の上側部分に当該空きスペースを設け、この空きスペースに規定数のサンプル像を表示してもよい。
【００４５】
また、制御部２１は、図５に示すように、該各コンテンツＣ１〜Ｃ４の左上側の角部分の像を切り出す画像処理を行い、それぞれのサンプル像Ｓｂ１〜Ｓｂ４として設定しておき、図９に示すように各サンプル像Ｓｂ１〜Ｓｂ４のうちの規定数のものを表示部１２の画面の上記領域Ａに表示させてもよい。コンテンツの左上側の角部分の像に限らず、他の部分の像を切り出してサンプル像としても構わない。
【００４６】
また、制御部２１は、図５に示すように該各コンテンツＣ１〜Ｃ４の見出し情報をそれぞれのサンプル像Ｓｃ１〜Ｓｃ４として設定しておき、図１０に示すように各サンプル像Ｓｃ１〜Ｓｃ４のうちの規定数のものを表示部１２の画面の上記領域Ａに表示させてもよい。
【００４７】
また、上記実施形態では、ユーザーが情報処理装置１０を上方向に振ったときにサンプル像を表示部１２の画面に表示させ、ユーザーが情報処理装置１０を下方向に振ったときにサンプル像を非表示としているが、この代わりに、制御部２１は、ユーザーによる情報処理装置１０の別の操作に応じてサンプル像を表示したり非表示とする制御を行ってもよい。例えば、制御部２１は、ユーザーが情報処理装置１０を表示部１２の画面のＸ軸周りに予め定められた方向に回転させる操作を行い、指示判定部２３により当該操作が示す指示の内容がサンプル像を表示する指示であると判定されたときにサンプル像を表示させ、ユーザーが情報処理装置１０を該画面のＸ軸周りに上記予め定められた方向とは反対方向に回転させる操作を行い、指示判定部２３により当該操作が示す指示の内容がサンプル像を非表示とする指示であると判定されたときにサンプル像を非表示としてもよい。
【００４８】
同様に、上記実施形態では、制御部２１は、ユーザーが情報処理装置１０を表示部１２の画面のＹ軸周りに傾斜させたときに、表示部１２の画面上で各サンプル像を移動させて更新しているが、この代わりに、ユーザーが情報処理装置１０を左方向又は右方向に振る操作を行い、指示判定部２３により当該操作に基づく指示の内容がサンプル像を表示する指示であると判定される度に、表示部１２の画面上で各サンプル像を、ユーザーが振る操作を行った方向に移動するように表示させて、１つずつ更新してもよい。
【００４９】
また、サンプル像の表示又は消去を指示するための操作キー、サンプル像の移動並びに更新を指示するための操作キーを情報処理装置１０に設けておき、これらの操作キーにより表示指示が入力される度に、制御部２１が、(i)サンプル像を表示させる、(ii)これらの操作キーにより表示の消去指示が入力される度に、制御部２１が、サンプル像の表示を消去させる、(iii)これらの操作キーによりサンプル像の表示を移動させる指示が入力される度に、制御部２１が、各サンプル像を移動させる、又は、(iv)これらの操作キーによりサンプル像を更新する指示が入力される度に、制御部２１が、各サンプル像を更新させる、という制御を行うようにしてもよい。
【００５０】
また、本発明の情報処理装置は、ＩＣカードに限らず、他の種類の携帯用の装置に適用することが可能である。
【００５１】
また、図１乃至図１０を用いて説明した上記実施形態の構成は、本発明の一例に過ぎず、本発明を当該構成に限定する趣旨ではない。
【符号の説明】
【００５２】
１０    情報処理装置
１１    制御ユニット
１２    表示部
１３    記憶部
１４    ネットワーク通信部
１６    加速度センサー
１７    角速度センサー
２１    制御部
２２    変位検出部
２３    指示判定部
２４    通信制御部
【図１】
2019164548.tif 000003
【図２】
2019164548.tif 000004
【図３】
2019164548.tif 000005
【図４】
2019164548.tif 000006
【図５】
2019164548.tif 000007
【図６】
2019164548.tif 000008
【図７】
2019164548.tif 000009
【図８】
2019164548.tif 000010
【図９】
2019164548.tif 000011
【図１０】
2019164548.tif 000012